(57)【特許請求の範囲】
【請求項１】
目標航跡情報を格納する目標航跡情報ファイルと、センサの性能情報を格納するセンサ情報ファイルと、遮蔽物情報を格納する遮蔽物データベースと、それら目標航跡情報、センサの性能情報、および遮蔽物情報に応じて、再出現目標に対する観測優先度を、観測優先度ベクトルとして評価する再出現考慮観測優先度ベクトル評価器と、それら目標航跡情報、およびセンサの性能情報に応じて、センサから目標を観測した場合の観測効果を算出する観測効果算出器と、それら観測優先度ベクトル、および観測効果に応じて、センサから目標に対する観測割当て結果を算出する再出現考慮センサ対目標割当て器と、その観測割当て結果を格納する割当て結果ファイルと、前記再出現考慮観測優先度ベクトル評価器に、センサの性能情報、および遮蔽物情報に応じて、センサの覆域を算出するセンサ覆域算出器と、それらセンサの覆域、目標航跡情報、センサの性能情報、および遮蔽物情報に応じて、目標の出現位置を予測する目標出現位置予測器と、それら目標出現位置、および目標航跡情報に応じて、各目標に対して再出現する時間を、目標再出現時間として算出する目標再出現時間計算器と、その目標再出現時間を目標観測優先度ベクトルに変換する目標観測優先度ベクトル変換器と、前記目標出現位置予測器に、センサの覆域、目標航跡情報、センサの性能情報、および遮蔽物情報に応じて、遮蔽物を考慮して各目標の出現位置を予測する遮蔽物考慮目標出現位置予測器と、前記遮蔽物考慮目標出現位置予測器に、センサの覆域、遮蔽物情報、および目標航跡情報に応じて、見通し外地域における目標の分岐点を予測する見通し外目標分岐予測位置計算器と、その見通し外地域における目標の分岐点、センサの覆域、目標航跡情報、およびセンサの性能情報に応じて、目標の出現可能性が最も大きい位置を、目標の出現位置として予測する最大可能性目標位置計算器とを備えたことを特徴とする複数センサの制御装置。
【請求項２】
目標航跡情報を格納する目標航跡情報ファイルと、センサの性能情報を格納するセンサ情報ファイルと、遮蔽物情報を格納する遮蔽物データベースと、それら目標航跡情報、センサの性能情報、および遮蔽物情報に応じて、再出現目標に対する観測優先度を、観測優先度ベクトルとして評価する再出現考慮観測優先度ベクトル評価器と、それら目標航跡情報、およびセンサの性能情報に応じて、センサから目標を観測した場合の観測効果を算出する観測効果算出器と、それら観測優先度ベクトル、および観測効果に応じて、センサから目標に対する観測割当て結果を算出する再出現考慮センサ対目標割当て器と、その観測割当て結果を格納する割当て結果ファイルと、前記再出現考慮観測優先度ベクトル評価器に、センサの性能情報、および遮蔽物情報に応じて、センサの覆域を算出するセンサ覆域算出器と、それらセンサの覆域、目標航跡情報、センサの性能情報、および遮蔽物情報に応じて、目標の出現位置を予測する目標出現位置予測器と、それら目標出現位置、および目標航跡情報に応じて、各目標に対して再出現する時間を、目標再出現時間として算出する目標再出現時間計算器と、その目標再出現時間を目標観測優先度ベクトルに変換する目標観測優先度ベクトル変換器と、前記目標出現位置予測器に、センサの覆域、目標航跡情報、センサの性能情報、および遮蔽物情報に応じて、遮蔽物を考慮して各目標の出現位置を予測する遮蔽物考慮目標出現位置予測器と、前記遮蔽物考慮目標出現位置予測器に、センサの覆域、遮蔽物情報、および目標航跡情報に応じて、見通し外地域における目標の分岐点を予測する見通し外目標分岐予測位置計算器と、それら見通し外地域における目標の分岐点、センサの覆域、目標航跡情報、およびセンサの性能情報に応じて、目標の出現位置を分布として算出する目標出現分布計算器とを備えたことを特徴とする複数センサの制御装置。
【請求項３】
目標航跡情報を格納する目標航跡情報ファイルと、センサの性能情報を格納するセンサ情報ファイルと、遮蔽物情報を格納する遮蔽物データベースと、それら目標航跡情報、センサの性能情報、および遮蔽物情報に応じて、再出現目標に対する観測優先度を、観測優先度ベクトルとして評価する再出現考慮観測優先度ベクトル評価器と、それら目標航跡情報、およびセンサの性能情報に応じて、センサから目標を観測した場合の観測効果を算出する観測効果算出器と、それら観測優先度ベクトル、および観測効果に応じて、センサから目標に対する観測割当て結果を算出する再出現考慮センサ対目標割当て器と、その観測割当て結果を格納する割当て結果ファイルと、前記再出現考慮観測優先度ベクトル評価器に、センサの性能情報、および遮蔽物情報に応じて、センサの覆域を算出するセンサ覆域算出器と、それらセンサの覆域、目標航跡情報、センサの性能情報、および遮蔽物情報に応じて、目標の出現位置を予測する目標出現位置予測器と、それら目標出現位置、および目標航跡情報に応じて、各目標に対して再出現する時間を、目標再出現時間として算出する目標再出現時間計算器と、その目標再出現時間を目標観測優先度ベクトルに変換する目標観測優先度ベクトル変換器と、前記目標出現位置予測器に、センサの覆域、目標航跡情報、センサの性能情報、および遮蔽物情報に応じて、各目標の出現位置を直線予測する直線目標出現位置予測器と、前記目標再出現時間計算器に、目標の出現位置、および目標航跡情報に応じて、センサ毎に目標が再出現する時間を算出するセンサ毎再出現時間計算器を備えたことを特徴とする複数センサの制御装置。
【請求項４】
目標航跡情報を格納する目標航跡情報ファイルと、センサの性能情報を格納するセンサ情報ファイルと、遮蔽物情報を格納する遮蔽物データベースと、それら目標航跡情報、センサの性能情報、および遮蔽物情報に応じて、再出現目標に対する観測優先度を、観測優先度ベクトルとして評価する再出現考慮観測優先度ベクトル評価器と、それら目標航跡情報、およびセンサの性能情報に応じて、センサから目標を観測した場合の観測効果を算出する観測効果算出器と、それら観測優先度ベクトル、および観測効果に応じて、センサから目標に対する観測割当て結果を算出する再出現考慮センサ対目標割当て器と、その観測割当て結果を格納する割当て結果ファイルと、前記再出現考慮観測優先度ベクトル評価器に、センサの性能情報、および遮蔽物情報に応じて、センサの覆域を算出するセンサ覆域算出器と、それらセンサの覆域、目標航跡情報、センサの性能情報、および遮蔽物情報に応じて、目標の出現位置を予測する目標出現位置予測器と、それら目標出現位置、および目標航跡情報に応じて、各目標に対して再出現する時間を、目標再出現時間として算出する目標再出現時間計算器と、その目標再出現時間を目標観測優先度ベクトルに変換する目標観測優先度ベクトル変換器と、前記目標出現位置予測器に、センサの覆域、目標航跡情報、センサの性能情報、および遮蔽物情報に応じて、遮蔽物を考慮して各目標の出現位置を予測する遮蔽物考慮目標出現位置予測器と、前記目標再出現時間計算器に、目標の出現位置、および目標航跡情報に応じて、センサ毎に目標が再出現する時間を算出するセンサ毎再出現時間計算器を備えたことを特徴とする複数センサの制御装置。
【請求項５】
目標航跡情報を格納する目標航跡情報ファイルと、センサの性能情報を格納するセンサ情報ファイルと、遮蔽物情報を格納する遮蔽物データベースと、それら目標航跡情報、センサの性能情報、および遮蔽物情報に応じて、再出現目標に対する観測優先度を、観測優先度ベクトルとして評価する再出現考慮観測優先度ベクトル評価器と、それら目標航跡情報、およびセンサの性能情報に応じて、センサから目標を観測した場合の観測効果を算出する観測効果算出器と、それら観測優先度ベクトル、および観測効果に応じて、センサから目標に対する観測割当て結果を算出する再出現考慮センサ対目標割当て器と、その観測割当て結果を格納する割当て結果ファイルと、前記再出現考慮観測優先度ベクトル評価器に、センサの性能情報、および遮蔽物情報に応じて、センサの覆域を算出するセンサ覆域算出器と、それらセンサの覆域、目標航跡情報、センサの性能情報、および遮蔽物情報に応じて、目標の出現位置を予測する目標出現位置予測器と、それら目標出現位置、および目標航跡情報に応じて、各目標に対して再出現する時間を、目標再出現時間として算出する目標再出現時間計算器と、その目標再出現時間を目標観測優先度ベクトルに変換する目標観測優先度ベクトル変換器と、前記目標出現位置予測器に、センサの覆域、目標航跡情報、センサの性能情報、および遮蔽物情報に応じて、各目標の出現位置を直線予測する直線目標出現位置予測器と、前記目標再出現時間計算器に、目標の出現位置、および目標航跡情報に応じて、センサクラスタ毎に目標が再出現する時間を算出するクラスタ毎再出現時間計算器を備えたことを特徴とする複数センサの制御装置。
【請求項６】
目標航跡情報を格納する目標航跡情報ファイルと、センサの性能情報を格納するセンサ情報ファイルと、遮蔽物情報を格納する遮蔽物データベースと、それら目標航跡情報、センサの性能情報、および遮蔽物情報に応じて、再出現目標に対する観測優先度を、観測優先度ベクトルとして評価する再出現考慮観測優先度ベクトル評価器と、それら目標航跡情報、およびセンサの性能情報に応じて、センサから目標を観測した場合の観測効果を算出する観測効果算出器と、それら観測優先度ベクトル、および観測効果に応じて、センサから目標に対する観測割当て結果を算出する再出現考慮センサ対目標割当て器と、その観測割当て結果を格納する割当て結果ファイルと、前記再出現考慮観測優先度ベクトル評価器に、センサの性能情報、および遮蔽物情報に応じて、センサの覆域を算出するセンサ覆域算出器と、それらセンサの覆域、目標航跡情報、センサの性能情報、および遮蔽物情報に応じて、目標の出現位置を予測する目標出現位置予測器と、それら目標出現位置、および目標航跡情報に応じて、各目標に対して再出現する時間を、目標再出現時間として算出する目標再出現時間計算器と、その目標再出現時間を目標観測優先度ベクトルに変換する目標観測優先度ベクトル変換器と、前記目標出現位置予測器に、センサの覆域、目標航跡情報、センサの性能情報、および遮蔽物情報に応じて、遮蔽物を考慮して各目標の出現位置を予測する遮蔽物考慮目標出現位置予測器と、前記目標再出現時間計算器に、目標の出現位置、および目標航跡情報に応じて、センサクラスタ毎に目標が再出現する時間を算出するクラスタ毎再出現時間計算器を備えたことを特徴とする複数センサの制御装置。
【請求項７】
目標観測優先度ベクトル変換器に、目標再出現時間に応じて、その目標再出現時間のみを考慮して目標観測優先度ベクトルを算出する再出現時間考慮目標観測優先度ベクトル変換器を備えたことを特徴とする請求項３から請求項６のうちのいずれか１項記載の複数センサの制御装置。
【請求項８】
目標観測優先度ベクトル変換器に、目標類別情報を格納する目標類別情報ファイルと、それら目標類別情報、および目標再出現時間に応じて、目標再出現時間のみならずその目標類別情報も考慮して目標観測優先度ベクトルを算出する再出現時間と類別情報考慮目標観測優先度ベクトル変換器とを備えたことを特徴とする請求項３から請求項６のうちのいずれか１項記載の複数センサの制御装置。
【請求項９】
目標観測優先度ベクトル変換器に、目標を観測した時刻情報を格納する観測時刻情報ファイルと、それら観測時刻情報、および目標再出現時間に応じて、目標再出現時間のみならずその観測時刻情報も考慮して目標観測優先度ベクトルを算出する再出現時間と観測時刻考慮目標観測優先度ベクトル変換器とを備えたことを特徴とする請求項３から請求項６のうちのいずれか１項記載の複数センサの制御装置。
【発明の詳細な説明】
【０００１】
【発明の属する技術分野】
この発明は、製造業、流通業、および経営管理などで問題となる、多数の供給源から多数の消費対象に消費資源を最適に配分するための資源配分に関するものであり、ここでは特に、複数のセンサにより対象の観測を行う場合、各センサに観測の役割を指示する複数センサの制御装置について述べる。また、これらの発明は、妨害リソース配分問題などにも適用することが可能である。
【０００２】
【従来の技術】
図１４は例えば「多目標追尾のためのセンサ群協調管理方法（野本弘平、木瀬若桜、白石將、日本ファジィ学会関東支部特別ワークショップ、１９９９．１．２１．２２）」で説明されている従来の複数センサの制御装置を示すブロック図であり、図において、１は目標航跡情報を格納する目標航跡情報ファイル、２はセンサの性能情報を格納するセンサ情報ファイルである。３はそれら目標航跡情報、およびセンサの性能情報に応じて、センサから目標を観測した場合の観測効果を算出する観測効果算出器、４はその観測効果に応じて、センサから目標に対する観測割当て結果を算出するセンサ対目標割当て器、５はそのセンサ対目標割当て器４での割当て手順を示すルール、６はその観測割当て結果を格納する割当て結果ファイルである。
【０００３】
次に動作について説明する。
目標航跡情報ファイル１には、予めレーダ、パッシブセンサ、または赤外線撮像装置などのセンサにより得られる目標の位置、進行方向、および速度を含む目標航跡情報を格納しておく。また、センサ情報ファイル２には、予めセンサの探知範囲などを記録したセンサの性能情報を格納しておく。
観測効果算出器３は、それら目標航跡情報およびセンサの性能情報を入力し、各センサが各目標の観測に対する効果を算出する。効果の算出は、例えば、各センサと目標の位置関係、あるいは目標の予測位置の範囲などから行う。これらの効果の算出を各センサから各目標に対して行い、その結果を観測効果行列として出力する。図５は観測効果行列を示す説明図であり、図において、センサはＭ個、目標はＮ個存在し、例えば、センサｉから目標ｊに対する観測効果行列はＥｉｊとなる。
【０００４】
センサ対目標割当て器４は、その観測効果行列を入力し、ルール５で与えられる割当て手順に従って、各センサからの各目標の観測の効果が高くなるように割当てを実施する。
図１５はルール５で与えられる割当て手順を示すフローチャートであり、図において、まず、観測効果行列の中から最も大きい要素を選択し、その選択された要素に応じてセンサｉから目標ｊに割当てを行う（ステップＳＴ１）。他に利用可能なセンサもしくは割当てるべき目標が存在するか判定し（ステップＳＴ２）、存在する場合は、観測効果行列の中から次に大きい要素を選択するようにステップＳＴ１に処理を進め（ステップＳＴ３）、存在しない場合は割当てを終了する。
これらの処理により、センサ対目標割当て器４は、各センサから各目標への割当て結果を割当て行列として出力し、割当て結果ファイル６は、その割当て行列を格納する。図１６は割当て行列を示す説明図であり、図において、割当て行列は、図５に示した観測効果行列と同様に、センサはＭ個、目標はＮ個存在し、例えば、センサｉから目標ｊに対する割当て行列はＸｉｊとなる。この割当て行列の各要素は、初期値として０が与えられ、例えば、センサｉから目標ｊに対する割当ての決定に応じて値が与えられる。
なお、従来の複数のセンサの制御装置では、このような割当て規則を、ヒューリスティックな方法により記述し実施している。従って、この場合、ルール５はヒューリスティックアルゴリズムということになる。
【０００５】
【発明が解決しようとする課題】
従来の複数のセンサの制御装置は以上のように構成されているので、目標およびセンサの数と、現在の観測効果のみを利用して割当てを行っていた。従って、観測時に、センサから目標が観測範囲外の位置に存在するか否かということを考慮しておらず、センサから目標が観測範囲外の位置に存在する場合は、それらの目標に対して実際に観測を行うことができなくなるという課題があった。
【０００６】
この発明は上記のような課題を解決するためになされたもので、目標がセンサの観測範囲内に再出現するまでの時間を考慮し、センサの制御を行う複数センサの制御装置を得ることを目的とする。
【０００７】
【課題を解決するための手段】
この発明に係る複数センサの制御装置は、遮蔽物情報を格納する遮蔽物データベースと、目標航跡情報、センサの性能情報、および遮蔽物情報に応じて、再出現目標に対する観測優先度を、観測優先度ベクトルとして評価する再出現考慮観測優先度ベクトル評価器と、観測優先度ベクトル、および観測効果に応じて、センサから目標に対する観測割当て結果を算出する再出現考慮センサ対目標割当て器とを備えたものである。目標航跡情報を格納する目標航跡情報ファイルと、センサの性能情報を格納するセンサ情報ファイルと、遮蔽物情報を格納する遮蔽物データベースと、それら目標航跡情報、センサの性能情報、および遮蔽物情報に応じて、再出現目標に対する観測優先度を、観測優先度ベクトルとして評価する再出現考慮観測優先度ベクトル評価器と、それら目標航跡情報、およびセンサの性能情報に応じて、センサから目標を観測した場合の観測効果を算出する観測効果算出器と、それら観測優先度ベクトル、および観測効果に応じて、センサから目標に対する観測割当て結果を算出する再出現考慮センサ対目標割当て器と、その観測割当て結果を格納する割当て結果ファイルと、前記再出現考慮観測優先度ベクトル評価器に、センサの性能情報、および遮蔽物情報に応じて、センサの覆域を算出するセンサ覆域算出器と、それらセンサの覆域、目標航跡情報、センサの性能情報、および遮蔽物情報に応じて、目標の出現位置を予測する目標出現位置予測器と、それら目標出現位置、および目標航跡情報に応じて、各目標に対して再出現する時間を、目標再出現時間として算出する目標再出現時間計算器と、その目標再出現時間を目標観測優先度ベクトルに変換する目標観測優先度ベクトル変換器と、前記目標出現位置予測器に、センサの覆域、目標航跡情報、センサの性能情報、および遮蔽物情報に応じて、遮蔽物を考慮して各目標の出現位置を予測する遮蔽物考慮目標出現位置予測器と、前記遮蔽物考慮目標出現位置予測器に、センサの覆域、遮蔽物情報、および目標航跡情報に応じて、見通し外地域における目標の分岐点を予測する見通し外目標分岐予測位置計算器と、その見通し外地域における目標の分岐点、センサの覆域、目標航跡情報、およびセンサの性能情報に応じて、目標の出現可能性が最も大きい位置を、目標の出現位置として予測する最大可能性目標位置計算器とを備えたものである。
【０００８】
この発明に係る複数センサの制御装置は、目標航跡情報を格納する目標航跡情報ファイルと、センサの性能情報を格納するセンサ情報ファイルと、遮蔽物情報を格納する遮蔽物データベースと、それら目標航跡情報、センサの性能情報、および遮蔽物情報に応じて、再出現目標に対する観測優先度を、観測優先度ベクトルとして評価する再出現考慮観測優先度ベクトル評価器と、それら目標航跡情報、およびセンサの性能情報に応じて、センサから目標を観測した場合の観測効果を算出する観測効果算出器と、それら観測優先度ベクトル、および観測効果に応じて、センサから目標に対する観測割当て結果を算出する再出現考慮センサ対目標割当て器と、その観測割当て結果を格納する割当て結果ファイルと、前記再出現考慮観測優先度ベクトル評価器に、センサの性能情報、および遮蔽物情報に応じて、センサの覆域を算出するセンサ覆域算出器と、それらセンサの覆域、目標航跡情報、センサの性能情報、および遮蔽物情報に応じて、目標の出現位置を予測する目標出現位置予測器と、それら目標出現位置、および目標航跡情報に応じて、各目標に対して再出現する時間を、目標再出現時間として算出する目標再出現時間計算器と、その目標再出現時間を目標観測優先度ベクトルに変換する目標観測優先度ベクトル変換器と、前記目標出現位置予測器に、センサの覆域、目標航跡情報、センサの性能情報、および遮蔽物情報に応じて、遮蔽物を考慮して各目標の出現位置を予測する遮蔽物考慮目標出現位置予測器と、前記遮蔽物考慮目標出現位置予測器に、センサの覆域、遮蔽物情報、および目標航跡情報に応じて、見通し外地域における目標の分岐点を予測する見通し外目標分岐予測位置計算器と、それら見通し外地域における目標の分岐点、センサの覆域、目標航跡情報、およびセンサの性能情報に応じて、目標の出現位置を分布として算出する目標出現分布計算器とを備えたものである。
【０００９】
この発明に係る複数センサの制御装置は、目標航跡情報を格納する目標航跡情報ファイルと、センサの性能情報を格納するセンサ情報ファイルと、遮蔽物情報を格納する遮蔽物データベースと、それら目標航跡情報、センサの性能情報、および遮蔽物情報に応じて、再出現目標に対する観測優先度を、観測優先度ベクトルとして評価する再出現考慮観測優先度ベクトル評価器と、それら目標航跡情報、およびセンサの性能情報に応じて、センサから目標を観測した場合の観測効果を算出する観測効果算出器と、それら観測優先度ベクトル、および観測効果に応じて、センサから目標に対する観測割当て結果を算出する再出現考慮センサ対目標割当て器と、その観測割当て結果を格納する割当て結果ファイルと、前記再出現考慮観測優先度ベクトル評価器に、センサの性能情報、および遮蔽物情報に応じて、センサの覆域を算出するセンサ覆域算出器と、それらセンサの覆域、目標航跡情報、センサの性能情報、および遮蔽物情報に応じて、目標の出現位置を予測する目標出現位置予測器と、それら目標出現位置、および目標航跡情報に応じて、各目標に対して再出現する時間を、目標再出現時間として算出する目標再出現時間計算器と、その目標再出現時間を目標観測優先度ベクトルに変換する目標観測優先度ベクトル変換器と、前記目標出現位置予測器に、センサの覆域、目標航跡情報、センサの性能情報、および遮蔽物情報に応じて、各目標の出現位置を直線予測する直線目標出現位置予測器と、前記目標再出現時間計算器に、目標の出現位置、および目標航跡情報に応じて、センサ毎に目標が再出現する時間を算出するセンサ毎再出現時間計算器を備えたものである。
【００１０】
この発明に係る複数センサの制御装置は、目標航跡情報を格納する目標航跡情報ファイルと、センサの性能情報を格納するセンサ情報ファイルと、遮蔽物情報を格納する遮蔽物データベースと、それら目標航跡情報、センサの性能情報、および遮蔽物情報に応じて、再出現目標に対する観測優先度を、観測優先度ベクトルとして評価する再出現考慮観測優先度ベクトル評価器と、それら目標航跡情報、およびセンサの性能情報に応じて、センサから目標を観測した場合の観測効果を算出する観測効果算出器と、それら観測優先度ベクトル、および観測効果に応じて、センサから目標に対する観測割当て結果を算出する再出現考慮センサ対目標割当て器と、その観測割当て結果を格納する割当て結果ファイルと、前記再出現考慮観測優先度ベクトル評価器に、センサの性能情報、および遮蔽物情報に応じて、センサの覆域を算出するセンサ覆域算出器と、それらセンサの覆域、目標航跡情報、センサの性能情報、および遮蔽物情報に応じて、目標の出現位置を予測する目標出現位置予測器と、それら目標出現位置、および目標航跡情報に応じて、各目標に対して再出現する時間を、目標再出現時間として算出する目標再出現時間計算器と、その目標再出現時間を目標観測優先度ベクトルに変換する目標観測優先度ベクトル変換器と、前記目標出現位置予測器に、センサの覆域、目標航跡情報、センサの性能情報、および遮蔽物情報に応じて、遮蔽物を考慮して各目標の出現位置を予測する遮蔽物考慮目標出現位置予測器と、前記目標再出現時間計算器に、目標の出現位置、および目標航跡情報に応じて、センサ毎に目標が再出現する時間を算出するセンサ毎再出現時間計算器を備えたものである。
【００１１】
この発明に係る複数センサの制御装置は、目標航跡情報を格納する目標航跡情報ファイルと、センサの性能情報を格納するセンサ情報ファイルと、遮蔽物情報を格納する遮蔽物データベースと、それら目標航跡情報、センサの性能情報、および遮蔽物情報に応じて、再出現目標に対する観測優先度を、観測優先度ベクトルとして評価する再出現考慮観測優先度ベクトル評価器と、それら目標航跡情報、およびセンサの性能情報に応じて、センサから目標を観測した場合の観測効果を算出する観測効果算出器と、それら観測優先度ベクトル、および観測効果に応じて、センサから目標に対する観測割当て結果を算出する再出現考慮センサ対目標割当て器と、その観測割当て結果を格納する割当て結果ファイルと、前記再出現考慮観測優先度ベクトル評価器に、センサの性能情報、および遮蔽物情報に応じて、センサの覆域を算出するセンサ覆域算出器と、それらセンサの覆域、目標航跡情報、センサの性能情報、および遮蔽物情報に応じて、目標の出現位置を予測する目標出現位置予測器と、それら目標出現位置、および目標航跡情報に応じて、各目標に対して再出現する時間を、目標再出現時間として算出する目標再出現時間計算器と、その目標再出現時間を目標観測優先度ベクトルに変換する目標観測優先度ベクトル変換器と、前記目標出現位置予測器に、センサの覆域、目標航跡情報、センサの性能情報、および遮蔽物情報に応じて、各目標の出現位置を直線予測する直線目標出現位置予測器と、前記目標再出現時間計算器に、目標の出現位置、および目標航跡情報に応じて、センサクラスタ毎に目標が再出現する時間を算出するクラスタ毎再出現時間計算器とを備えたものである。
【００１２】
この発明に係る複数センサの制御装置は、目標航跡情報を格納する目標航跡情報ファイルと、センサの性能情報を格納するセンサ情報ファイルと、遮蔽物情報を格納する遮蔽物データベースと、それら目標航跡情報、センサの性能情報、および遮蔽物情報に応じて、再出現目標に対する観測優先度を、観測優先度ベクトルとして評価する再出現考慮観測優先度ベクトル評価器と、それら目標航跡情報、およびセンサの性能情報に応じて、センサから目標を観測した場合の観測効果を算出する観測効果算出器と、それら観測優先度ベクトル、および観測効果に応じて、センサから目標に対する観測割当て結果を算出する再出現考慮センサ対目標割当て器と、その観測割当て結果を格納する割当て結果ファイルと、前記再出現考慮観測優先度ベクトル評価器に、センサの性能情報、および遮蔽物情報に応じて、センサの覆域を算出するセンサ覆域算出器と、それらセンサの覆域、目標航跡情報、センサの性能情報、および遮蔽物情報に応じて、目標の出現位置を予測する目標出現位置予測器と、それら目標出現位置、および目標航跡情報に応じて、各目標に対して再出現する時間を、目標再出現時間として算出する目標再出現時間計算器と、その目標再出現時間を目標観測優先度ベクトルに変換する目標観測優先度ベクトル変換器と、前記目標出現位置予測器に、センサの覆域、目標航跡情報、センサの性能情報、および遮蔽物情報に応じて、遮蔽物を考慮して各目標の出現位置を予測する遮蔽物考慮目標出現位置予測器と、前記目標再出現時間計算器に、目標の出現位置、および目標航跡情報に応じて、センサクラスタ毎に目標が再出現する時間を算出するクラスタ毎再出現時間計算器とを備えたものである。
【００１５】
この発明に係る複数センサの制御装置は、目標観測優先度ベクトル変換器に、目標再出現時間に応じて、その目標再出現時間のみを考慮して目標観測優先度ベクトルを算出する再出現時間考慮目標観測優先度ベクトル変換器を備えたものである。
【００１６】
この発明に係る複数センサの制御装置は、目標観測優先度ベクトル変換器に、目標類別情報を格納する目標類別情報ファイルと、目標類別情報、および目標再出現時間に応じて、目標再出現時間のみならずその目標類別情報も考慮して目標観測優先度ベクトルを算出する再出現時間と類別情報考慮目標観測優先度ベクトル変換器とを備えたものである。
【００１７】
この発明に係る複数センサの制御装置は、目標観測優先度ベクトル変換器に、目標を観測した時刻情報を格納する観測時刻情報ファイルと、観測時刻情報、および目標再出現時間に応じて、目標再出現時間のみならずその観測時刻情報も考慮して目標観測優先度ベクトルを算出する再出現時間と観測時刻考慮目標観測優先度ベクトル変換器とを備えたものである。
【００１８】
【発明の実施の形態】
以下、この発明の実施の一形態を説明する。
実施の形態１．
図１はこの発明の実施の形態１による複数センサの制御装置を示すブロック図であり、図において、１は目標航跡情報を格納する目標航跡情報ファイル、２はセンサの性能情報を格納するセンサ情報ファイル、１１は遮蔽物情報を格納する遮蔽物データベースである。１２はそれら目標航跡情報、センサの性能情報、および遮蔽物情報に応じて、再出現目標に対する観測優先度を、観測優先度ベクトルとして評価する再出現考慮観測優先度ベクトル評価器、３はそれら目標航跡情報、およびセンサの性能情報に応じて、センサから目標を観測した場合の観測効果を算出する観測効果算出器である。１３はそれら観測優先度ベクトル、および観測効果に応じて、センサから目標に対する観測割当て結果を算出する再出現考慮センサ対目標割当て器、１４はその再出現考慮センサ対目標割当て器１３での割当て手順を示すルール、１５はその観測割当て結果を格納する割当て結果ファイルである。
【００１９】
また、再出現考慮観測優先度ベクトル評価器１２において、２１はセンサの性能情報、および遮蔽物情報に応じて、センサの覆域を算出するセンサ覆域算出器、２２はそれらセンサの覆域、目標航跡情報、センサの性能情報、および遮蔽物情報に応じて、目標の出現位置を予測する目標出現位置予測器、２３はそれら目標出現位置、および目標航跡情報に応じて、各目標に対して再出現する時間を、目標再出現時間として算出する目標再出現時間計算器、２４はその目標再出現時間を目標観測優先度ベクトルに変換する目標観測優先度ベクトル変換器である。
【００２０】
さらに、目標出現位置予測器２２において、２５はセンサの覆域、目標航跡情報、センサの性能情報、および遮蔽物情報に応じて、各目標の出現位置を直線予測する直線目標出現位置予測器である。
さらに、目標再出現時間計算器２３において、２６は目標の出現位置、および目標航跡情報に応じて、センサ毎に目標が再出現する時間を算出するセンサ毎再出現時間計算器である。
さらに、目標観測優先度ベクトル変換器２４において、２７は目標再出現時間に応じて、その目標再出現時間のみを考慮して目標観測優先度ベクトルを算出する再出現時間考慮目標観測優先度ベクトル変換器である。
【００２１】
次に動作について説明する。
目標航跡情報ファイル１には、予めレーダ、パッシブセンサ、および赤外線撮像装置などのセンサにより得られる目標の位置、進行方向、および速度を含む目標航跡情報を格納しておく。センサ情報ファイル２には、予めセンサの探知範囲などを記録したセンサの性能情報を格納しておく。これらは従来技術と同様の公知のものである。
【００２２】
遮蔽物データベース１１には、建物などをはじめとする構造物の高さの情報、および山岳の標高などの地形による高さの情報などを含む遮蔽物情報を予め格納しておく。
再出現考慮観測優先度ベクトル評価器１２は、目標航跡情報、センサの性能情報、および遮蔽物情報を入力し、目標が一度見通し外領域に突入した後再度見通し内領域に出現する可能性がある場合、この時刻を考慮して、どの目標を優先的に観測するかを示す観測優先度を評価する。さらに、その評価結果を観測優先度ベクトルとして、再出現考慮センサ対目標割当て器１３に対して出力する。
以下、この再出現考慮観測優先度ベクトル評価器１２の詳細な動作について説明する。
【００２３】
センサ覆域算出器２１は、センサの性能情報、および遮蔽物情報を入力し、それらの情報からセンサの探知範囲を示すセンサの覆域を計算する。これらのセンサ覆域は、センサの性能により変化する。
図２はセンサの覆域を示す説明図であり、図において、斜線部がセンサの覆域である。図に示すように、遮蔽物情報により建物のような障害物、あるいは山岳のような標高が高い領域が存在するような場合には、その領域はセンサの探知範囲外となり、覆域とならないことがある。これらのセンサ覆域は、例えば、座標のスカラー値の範囲で指定される。算出されたセンサの覆域は、遮蔽物情報と共に、目標出現位置予測器２２に対して出力される。
【００２４】
目標出現位置予測器２２は、目標航跡情報、センサの性能情報、センサの覆域、および遮蔽物情報を入力し、目標航跡情報に基づいて、見通し外領域に突入し、かつその後再出現する可能性が高い目標の出現位置を予測する。さらに、その予測された位置を、目標航跡情報と共に、目標再出現時間計算器２３に対して出力する。
図１では、目標出現位置予測器２２は、直線目標出現位置予測器２５により構成されている。直線目標出現位置予測器２５は、目標航跡情報、センサの性能情報、センサの覆域、および遮蔽物情報を入力し、目標の運動方向を直線予測し、目標が見通し内領域に再出現すると予測される位置を算出する。図３は再出現すると予測される位置の算出例を示す説明図であり、図においては、目標が実線で示されているように運動し、現在位置がＰ０であるとする。この時、以降の運動方向を予測すると点線のようになる。すなわち、その点線とセンサ覆域の交点Ｐが再出現予測点となる。
【００２５】
目標再出現時間計算器２３は、目標出現位置、および目標航跡情報を入力し、各目標に対して再出現する時間を、例えば、式（１）により算出する。
ｔｉｊ＝ｒｉｊ／ｖｊ                                        （１）
但し、ｔｉｊは目標ｊがセンサｉから見て見通し内領域に再出現する時間、ｒｉｊは同様に目標ｊが現在位置から見通し内領域に再出現する点までの距離、ｖｊは目標ｊの速度である。
算出された時間を目標再出現時間として、目標観測優先度ベクトル変換器２４に対して出力する。
また、図１では、目標再出現時間計算器２３は、センサ毎再出現時間計算器２６により構成されている。
センサ毎再出現時間計算器２６は、それぞれのセンサ毎に、各目標に対して再出現する時間を算出する。図４は再出現する時間の算出例を示す説明図であり、図において、目標１はセンサ１ではＰ１、センサ２ではＰ２で覆域内に再出現すると予測される。このため、センサ１に対しては、目標１の現在位置Ｐ０１からＰ１まで移動するために要する時間を、センサ２に対しては目標１の現在位置Ｐ０１からＰ２まで移動するために要する時間を算出する。一方、目標２はセンサ１に対してはＰ３で再出現すると予測されるが、センサ２では再出現しないと予測される。このため、センサ１に対してのみ、目標２の現在位置Ｐ０２からＰ３まで移動するために要する時間を算出する。
【００２６】
目標観測優先度ベクトル変換器２４は、目標再出現時間を入力し、これに基づいて、全ての目標について、どの目標を優先的に観測するかを示す観測優先度を算出する。さらに、全ての目標について算出された観測優先度を、目標観測優先度ベクトルとして、再出現考慮センサ対目標割当て器１３に対して出力する。
図１では、目標観測優先度ベクトル変換器２４は、再出現時間考慮目標観測優先度ベクトル変換器２７により構成されている。
再出現時間考慮目標観測優先度ベクトル変換器２７は、目標再出現時間を入力し、例えば、式（２）により、目標再出現時間のみを利用して、目標観測優先度を算出する。
【数１】
0003660199.tif 000002
但し、Ｏｊは目標ｊの観測優先度、Ｃは予め与えられた定数、Ｍはセンサの数、ｔｉｊはセンサｉから見た目標ｊの再出現時間である。
【００２７】
観測効果算出器３は、目標航跡情報およびセンサの性能情報を入力し、各センサが各目標の観測に対する効果を算出する。効果の算出は、例えば、各センサと目標の位置関係、あるいは目標の予測位置の範囲などから行う。これらの効果の算出を各センサから各目標に対して行い、その結果を観測効果行列として出力する。図５は観測効果行列を示す説明図であり、図において、センサはＭ個、目標はＮ個存在し、例えば、センサｉから目標ｊに対する観測効果行列はＥｉｊとなる。
【００２８】
再出現考慮センサ対目標割当て器１３は、目標観測優先度ベクトル、および観測効果を入力し、センサから目標に対する観測効果行列を作成する。
図６は観測効果行列を示す説明図であり、図では既に目標観測優先度に応じて観測効果行列の各列の要素が並びかえられた後を示している。
さらに、ルール１４で与えられる割当て手順に従って、目標観測優先度ベクトルに示される各目標の観測優先度を考慮し、各センサからの各目標の観測の効果が高くなるように、割当てを実施する。
図７はルールで与えられる割当て手順を示すフローチャートであり、図において、目標観測優先度ベクトル内の各要素Ｏｊを、その大きさを基準に並びかえる（ステップＳＴ１１）。ここでは、図６で示したように目標観測優先度ベクトルの大きい順に、Ｏ１，Ｏ２，…，ＯＮであったとして、この時に並びかえられた目標観測優先度ベクトルに応じて、観測効果行列の各列についても並びかえる。
次に、目標観測優先度ベクトルが最も高いものに対応する目標Ｏ１に対し、観測効果行列Ｅ１１〜ＥＭ１の中で最も大きいセンサを割当てる（ステップＳＴ１２）。
他に利用可能なセンサもしくは割当てるべき目標が存在するか判定し（ステップＳＴ１３）、存在する場合は、目標観測優先度ベクトルの中から次に大きい目標Ｏ２を選択するようにステップＳＴ１２に処理を進め（ステップＳＴ１４）、存在しない場合は割当てを終了する。
これらの処理により、再出現考慮センサ対目標割当て器１３は、各センサから各目標への割当て結果を割当て行列として出力し、割当て結果ファイル１５は、その割当て行列を格納する。図８は割当て行列を示す説明図であり、図において、割当て行列は、図５に示した観測効果行列と同様に、センサはＭ個、目標はＮ個存在し、例えば、センサｉから目標ｊに対する割当て行列はＸｉｊとなる。この割当て行列の各要素は、初期値として０が与えられ、例えば、センサｉから目標ｊに対する割当ての決定に応じて値が与えられる。
なお、ルール１４には、図７で示されるようなルールを格納したが、ここでは、観測優先度と観測効果を利用したヒューリスティックアルゴリズムを利用しているため、格納されているルールはヒューリスティックアルゴリズムということになるが、他のルールも利用可能であることは言うまでもない。
【００２９】
以上のように、この実施の形態１によれば、以下の効果を奏する。（１）目標が見通し内領域に再出現する可能性を考慮して、センサから目標への観測割当てを行うことができる。
（２）目標が見通し内領域に再出現する可能性を考慮して、センサから目標に対して精度の高い観測割当てを行うことができる。
（３）直線予測により、目標が見通し内領域に再出現すると予測される位置を算出するので、単純な減算、および除算で算出することができ、迅速にセンサから目標への観測割当てを行うことができる。
（４）センサ毎に各目標に対して再出現する時間を算出するので、各センサの状態を考慮して、目標への観測割当てを行うことができる。
（５）目標再出現時間を最優先にした、センサから目標への観測割当てを行うことができる。
【００３０】
実施の形態２．
図９はこの発明の実施の形態２による複数センサの制御装置を示すブロック図であり、目標出現位置予測器２２において、３１はセンサの覆域、目標航跡情報、センサの性能情報、および遮蔽物情報に応じて、遮蔽物を考慮して各目標の出現位置を予測する遮蔽物考慮目標出現位置予測器である。
また、遮蔽物考慮目標出現位置予測器３１において、３２はセンサの覆域、遮蔽物情報、および目標航跡情報に応じて、見通し外地域における目標の分岐点を予測する見通し外目標分岐予測位置計算器、３３はそれら見通し外地域における目標の分岐点、センサの覆域、目標航跡情報、およびセンサの性能情報に応じて、目標の出現位置を分布として算出する目標出現分布計算器である。
さらに、目標観測優先度ベクトル変換器２４において、３４は目標類別情報を格納する目標類別情報ファイル、３５はそれら目標類別情報、および目標再出現時間に応じて、目標再出現時間のみならずその目標類別情報も考慮して目標観測優先度ベクトルを算出する再出現時間と類別情報考慮目標観測優先度ベクトル変換器である。
その他、図１と同一符号で示す構成は、図１と同一な構成であるのでその重複する説明を省略する。
【００３１】
次に動作について説明する。
遮蔽物考慮目標出現位置予測器３１は、センサの覆域、目標航跡情報、センサの性能情報、および遮蔽物情報を入力し、遮蔽物情報に基づいて、そのセンサの覆域外となる見通し外領域において目標が運動する方向を予測する。さらに、予測結果に基づいて、目標が見通し内領域に再出現すると予測される位置を算出する。
図９では、遮蔽物考慮目標出現位置予測器３１は、見通し外目標分岐予測位置計算器３２と、目標出現分布計算器３３とから構成されているため、この動作について説明する。
【００３２】
見通し外目標分岐予測位置計算器３２は、センサの覆域、目標航跡情報、および遮蔽物情報を入力し、これらに基づいて、各目標がセンサの覆域外となる見通し外領域において、目標が複数方向に分岐する可能性のある目標の分岐点を予測する。図１０は目標の分岐点の予測の例を示す説明図であり、図において、遮蔽物の高さなどの関係により、見通し外領域の地点Ｄにおいて目標が２方向に進むことを予測している。この場合、地点Ｄを目標の分岐点として出力する。
【００３３】
目標出現分布計算器３３は、目標の分岐点、センサの覆域、目標航跡情報、およびセンサの性能情報を入力し、その目標の分岐点以降における目標の運動方向を予測し、目標の出現が予測される複数個の位置と、その出現可能性を計算する。図１１は目標の出現位置の分布の計算例を示す説明図であり、図において、分岐点Ｄ以降の目標の進行方向と、その可能性を予測し、地点Ｐ１でセンサの覆域内に再出現する可能性が７０％、地点Ｐ２でセンサの覆域内に再出現する可能性が３０％であると予測している。従って、これらの情報を目標の出現位置の分布として出力する。出力された分布は、目標再出現時間計算器２３において再出現時間を算出するために利用される。この場合、１目標に対して複数個の再出現時間が算出されることがあるが、その場合は、例えば、観測漏れを防ぐために最も短い再出現時間を採用するなどの対処を行う。
【００３４】
目標類別情報ファイル３４には、予め目標の種別や脅威、あるいは移動速度といった尺度に基づく目標類別情報を格納しておく。
再出現時間と類別情報考慮目標観測優先度ベクトル変換器３５は、目標類別情報、および目標再出現時間を入力し、これらの入力に基づいて、例えば、式（３）により目標観測優先度ベクトルを算出する。
【数２】
0003660199.tif 000003
但し、Ｏｊは目標ｊの観測優先度、Ｃは予め与えられた定数、Ｍはセンサの数、ｔｉｊはセンサｉから見た、目標ｊの再出現時間、ｕｊは目標ｊの類別結果により値が与えられる変数であり、観測の重要度が高ければ値を高くし、低ければ値を低くする。例えば、航空機などを観測する場合において、民間航空機よりも戦闘機の方が観測優先度を高くしたい場合には、これらの値を変化させ優先度に差をつける。
以降の処理は、実施の形態１と同様である。
【００３５】
以上のように、この実施の形態２によれば、以下の効果を奏する。
（１）目標が見通し内領域に再出現する可能性を考慮して、センサから目標への観測割当てを行うことができる。
（２）目標が見通し内領域に再出現する可能性を考慮して、センサから目標に対して精度の高い観測割当てを行うことができる。
（３）遮蔽物が複雑に入り組んでいるような領域においても、観測すべき目標が見通し内領域に再突入する時間ならびに位置を精度よく予測し、センサから目標への観測割当てを行うことができる。
（４）遮蔽物が複雑に入り組んでいるような領域において、センサから目標への観測割当てを効果的に行うことができる。
（５）各センサの状態を考慮して、目標への観測割当てを行うことができる。
（６）目標の属性、種類を考慮した、センサ割当てを行うことができる。
【００３６】
実施の形態３．
図１２はこの発明の実施の形態３による複数センサの制御装置を示すブロック図であり、遮蔽物考慮目標出現位置予測器３１において、４１は見通し外地域における目標の分岐点、センサの覆域、目標航跡情報、およびセンサの性能情報に応じて、目標の出現可能性が最も大きい位置を、目標の出現位置として予測する最大可能性目標位置計算器である。
また、目標再出現時間計算器２３において、４２は目標の出現位置、および目標航跡情報に応じて、センサクラスタ毎に目標が再出現する時間を算出するクラスタ毎再出現時間計算器である。
さらに、目標観測優先度ベクトル変換器２４において、４３は目標を観測した時刻情報を格納する観測時刻情報ファイル、４４はそれら観測時刻情報、および目標再出現時間に応じて、目標再出現時間のみならずその観測時刻情報も考慮して目標観測優先度ベクトルを算出する再出現時間と観測時刻考慮目標観測優先度ベクトル変換器である。
その他、図９と同一符号で示す構成は、図９と同一な構成であるのでその重複する説明を省略する。
【００３７】
次に動作について説明する。
最大可能性目標位置計算器４１は、見通し外地域における目標の分岐点、センサの覆域、目標航跡情報、およびセンサの性能情報を入力し、それらに基づいて、目標の分岐点以降における目標の運動方向を予測し、目標の出現可能性が最も大きい位置を計算する。  図１１を例にして説明すると、地点Ｐ１でセンサの覆域内に再出現する可能性が７０％、地点Ｐ２でセンサの覆域内に再出現する可能性が３０％であると予測しているため、出現可能性が最も高い地点Ｐ１のみを目標の出現位置として出力する。
【００３８】
クラスタ毎再出現時間計算器４２は、目標の出現位置、および目標航跡情報を入力し、センサを複数個まとめたセンサクラスタ（以降これをクラスタと言う）毎に、利用可能なセンサから目標が再出現する時間を算出する。図１３は利用可能なセンサから目標が再出現する時間の算出例を示す説明図であり、図において、クラスタがセンサ１とセンサ２から構成されているとする。この時、目標１はセンサ１ではＰ１、センサ２ではＰ２で覆域内に再出現すると予測されるが、センサ１の方が現在位置からより近い場所で覆域内に再出現する。従って、目標１の再出現位置としてＰ１を算出する。一方、目標２はセンサ１に対してはＰ３で再出現すると予測されるが、センサ２では再出現しないと予測されるため、目標２の再出現位置として明らかにＰ３を算出する。これにより、クラスタにおける再出現時間として、目標１に対しては現在位置Ｐ０１からＰ１まで移動するために要する時間を、目標２に対しては現在位置Ｐ０２からＰ３まで移動するために要する時間を算出する。算出の方法は、センサ毎再出現時間計算器２６の場合と同様である。
【００３９】
観測時刻情報ファイル４３には、現在把握している各目標について、どの時刻に観測を実施したかという観測時刻情報を格納しておく。
再出現時間と観測時刻考慮目標観測優先度ベクトル変換器４４は、観測時刻情報、および目標再出現時間を入力し、これらの入力に基づき、例えば、式（４）により、目標観測優先度ベクトルを算出する。
【数３】
0003660199.tif 000004
但し、Ｏｊは目標ｊの観測優先度、Ｃは予め与えられた定数、Ｍはクラスタの数、ｔｉｊはクラスタｉから見た、目標ｊの再出現時間、ｌｊは目標ｊを最後に観測した時刻、ｌ０は現在の時刻である。この場合、最後に観測した時刻が遅い目標ほど観測優先度を低く与える。
以降の処理は、実施の形態１と同様である。
【００４０】
以上のように、この実施の形態３によれば、以下の効果を奏する。
（１）目標が見通し内領域に再出現する可能性を考慮して、センサから目標への観測割当てを行うことができる。
（２）目標が見通し内領域に再出現する可能性を考慮して、センサから目標に対して精度の高い観測割当てを行うことができる。
（３）遮蔽物が複雑に入り組んでいるような領域においても、観測すべき目標が見通し内領域に再突入する時間ならびに位置を精度よく予測し、センサから目標への観測割当てを行うことができる。
（４）遮蔽物が複雑に入り組んでいるような領域において、センサを効率良く利用し迅速に目標の観測を行うことができる。
（５）複数のセンサを統制したクラスタにおいても、効率良く目標へのセンサ割当てを行うことができる。
（６）目標の観測頻度を考慮した、センサから目標への観測割当てを行うことができる。
【００４１】
なお、上記実施の形態１から上記実施の形態３における各構成要素は、他の実施の形態における構成要素を適宜組み合せて構成しても良く、その場合は、その組み合せた構成要素による効果を奏することができる。
【００４２】
【発明の効果】
以上のように、この発明によれば、遮蔽物情報を格納する遮蔽物データベースと、目標航跡情報、センサの性能情報、および遮蔽物情報に応じて、再出現目標に対する観測優先度を、観測優先度ベクトルとして評価する再出現考慮観測優先度ベクトル評価器と、観測優先度ベクトル、および観測効果に応じて、センサから目標に対する観測割当て結果を算出する再出現考慮センサ対目標割当て器とを備えるように構成したので、目標が見通し内領域に再出現する可能性を考慮して、センサから目標への観測割当てを行うことができる効果が得られる。
【００４３】
この発明によれば、再出現考慮観測優先度ベクトル評価器に、センサの性能情報、および遮蔽物情報に応じて、センサの覆域を算出するセンサ覆域算出器と、センサの覆域、目標航跡情報、センサの性能情報、および遮蔽物情報に応じて、目標の出現位置を予測する目標出現位置予測器と、目標出現位置、および目標航跡情報に応じて、各目標に対して再出現する時間を、目標再出現時間として算出する目標再出現時間計算器と、その目標再出現時間を目標観測優先度ベクトルに変換する目標観測優先度ベクトル変換器とを備えるように構成したので、目標が見通し内領域に再出現する可能性を考慮して、センサから目標に対して精度の高い観測割当てを行うことができる効果が得られる。
【００４４】
この発明によれば、目標出現位置予測器に、センサの覆域、目標航跡情報、センサの性能情報、および遮蔽物情報に応じて、各目標の出現位置を直線予測する直線目標出現位置予測器を備えるように構成したので、目標が見通し内領域に再出現する可能性を考慮して、迅速にセンサから目標への精度の高い観測割当てを行うことができる効果が得られる。
【００４５】
この発明によれば、目標出現位置予測器に、センサの覆域、目標航跡情報、センサの性能情報、および遮蔽物情報に応じて、遮蔽物を考慮して各目標の出現位置を予測する遮蔽物考慮目標出現位置予測器を備えるように構成したので、遮蔽物が複雑に入り組んでいるような領域においても、観測すべき目標が見通し内領域に再出現する時間および位置を精度良く予測し、センサから目標への観測割当てを行うことができる効果が得られる。
【００４６】
この発明によれば、遮蔽物考慮目標出現位置予測器に、センサの覆域、遮蔽物情報、および目標航跡情報に応じて、見通し外地域における目標の分岐点を予測する見通し外目標分岐予測位置計算器と、その見通し外地域における目標の分岐点、センサの覆域、目標航跡情報、およびセンサの性能情報に応じて、目標の出現可能性が最も大きい位置を、目標の出現位置として予測する最大可能性目標位置計算器とを備えるように構成したので、遮蔽物が複雑に入り組んでいるような領域において、センサを効率良く利用し目標への観測割当てを行うことができる効果が得られる。
【００４７】
この発明によれば、遮蔽物考慮目標出現位置予測器に、センサの覆域、遮蔽物情報、および目標航跡情報に応じて、見通し外地域における目標の分岐点を予測する見通し外目標分岐予測位置計算器と、それら見通し外地域における目標の分岐点、センサの覆域、目標航跡情報、およびセンサの性能情報に応じて、目標の出現位置を分布として算出する目標出現分布計算器とを備えるように構成したので、遮蔽物が複雑に入り組んでいるような領域において、センサから目標への観測割当てを効果的に行うことができる効果が得られる。
【００４８】
この発明によれば、目標再出現時間計算器に、目標の出現位置、および目標航跡情報に応じて、センサ毎に目標が再出現する時間を算出するセンサ毎再出現時間計算器を備えるように構成したので、各センサの状態を考慮して、センサから目標への観測割当てを行うことができる効果が得られる。
【００４９】
この発明によれば、目標再出現時間計算器に、目標の出現位置、および目標航跡情報に応じて、センサクラスタ毎に目標が再出現する時間を算出するクラスタ毎再出現時間計算器を備えるように構成したので、複数のセンサを統制したクラスタにおいても、効率良くセンサから目標への観測割当てを行うことができる効果が得られる。
【００５０】
この発明によれば、目標観測優先度ベクトル変換器に、目標再出現時間に応じて、その目標再出現時間のみを考慮して目標観測優先度ベクトルを算出する再出現時間考慮目標観測優先度ベクトル変換器を備えるように構成したので、目標再出現時間を最優先にしたセンサから目標への観測割当てを行うことができる効果が得られる。
【００５１】
この発明によれば、目標観測優先度ベクトル変換器に、目標類別情報を格納する目標類別情報ファイルと、目標類別情報、および目標再出現時間に応じて、目標再出現時間のみならずその目標類別情報も考慮して目標観測優先度ベクトルを算出する再出現時間と類別情報考慮目標観測優先度ベクトル変換器とを備えるように構成したので、目標の属性、種類を考慮したセンサから目標への観測割当てを行うことができる効果が得られる。
【００５２】
この発明によれば、目標観測優先度ベクトル変換器に、目標を観測した時刻情報を格納する観測時刻情報ファイルと、観測時刻情報、および目標再出現時間に応じて、目標再出現時間のみならずその観測時刻情報も考慮して目標観測優先度ベクトルを算出する再出現時間と観測時刻考慮目標観測優先度ベクトル変換器とを備えるように構成したので、目標の観測頻度を考慮したセンサから目標への観測割当てを行うことができる効果が得られる。
【図面の簡単な説明】
【図１】  この発明の実施の形態１による複数センサの制御装置を示すブロック図である。
【図２】  センサの覆域を示す説明図である。
【図３】  再出現すると予測される位置の算出例を示す説明図である。
【図４】  再出現する時間の算出例を示す説明図である。
【図５】  観測効果行列を示す説明図である。
【図６】  観測効果行列を示す説明図である。
【図７】  ルールで与えられる割当て手順を示すフローチャートである。
【図８】  割当て行列を示す説明図である。
【図９】  この発明の実施の形態２による複数センサの制御装置を示すブロック図である。
【図１０】  目標の分岐点の予測の例を示す説明図である。
【図１１】  目標の出現位置の分布の計算例を示す説明図である。
【図１２】  この発明の実施の形態３による複数センサの制御装置を示すブロック図である。
【図１３】  利用可能なセンサから目標が再出現する時間の算出例を示す説明図である。
【図１４】  従来の複数センサの制御装置を示すブロック図である。
【図１５】  ルールで与えられる割当て手順を示すフローチャートである。
【図１６】  割当て行列を示す説明図である。
【符号の説明】
１  目標航跡情報ファイル、２  センサ情報ファイル、３  観測効果算出器、１１  遮蔽物データベース、１２  再出現考慮観測優先度ベクトル評価器、１３再出現考慮センサ対目標割当て器、１４  ルール、１５  割当て結果ファイル、２１  センサ覆域算出器、２２  目標出現位置予測器、２３  目標再出現時間計算器、２４  目標観測優先度ベクトル変換器、２５  直線目標出現位置予測器、２６  センサ毎再出現時間計算器、２７  再出現時間考慮目標観測優先度ベクトル変換器、３１  遮蔽物考慮目標出現位置予測器、３２  見通し外目標分岐予測位置計算器、３３  目標出現分布計算器、３４  目標類別情報ファイル、３５再出現時間と類別情報考慮目標観測優先度ベクトル変換器、４１  最大可能性目標位置計算器、４２  クラスタ毎再出現時間計算器、４３  観測時刻情報ファイル、４４  再出現時間と観測時刻考慮目標観測優先度ベクトル変換器。
【図１】
0003660199.tif 000005
【図２】
0003660199.tif 000006
【図３】
0003660199.tif 000007
【図４】
0003660199.tif 000008
【図５】
0003660199.tif 000009
【図６】
0003660199.tif 000010
【図７】
0003660199.tif 000011
【図８】
0003660199.tif 000012
【図９】
0003660199.tif 000013
【図１０】
0003660199.tif 000014
【図１１】
0003660199.tif 000015
【図１２】
0003660199.tif 000016
【図１３】
0003660199.tif 000017
【図１４】
0003660199.tif 000018
【図１５】
0003660199.tif 000019
【図１６】
0003660199.tif 000020